(57)【要約】【課題】作業者の負担を軽減しつつ、確実に床面の塗装を剥がす作業を行うことのできる衝撃工具を提供する。【解決手段】衝撃工具本体２と、該衝撃工具本体２から前方へ差し出される先端具３と、該衝撃工具２から後方へ差し出される延長部４と、該延長部４の後端部に設けられる把持部５と、車輪６ａを有する車輪部６と、を備えた衝撃工具１である。床面Ｆに起立した作業者Ｗが把持部５を把持した使用状態で、前記先端具３の先端が該床面Ｆに接し、かつ該床面Ｆに前記車輪部６が接する。【選択図】図１
2013217048.tif 000002
【特許請求の範囲】
【請求項１】
床面に塗装された塗装膜を剥がすために用いられる衝撃工具であって、
衝撃工具本体と、
該衝撃工具本体から前方へ差し出され、前端部に作業部が形成されている先端具と、
該衝撃工具本体から後方へ差し出された延長部と、
該延長部の後端部に設けられ、該衝撃工具本体の作動を制御する作動スイッチが配設された把持部と、
該衝撃工具本体の外周面又は該延長部の外周面に取り付けられた車輪部と、を備え、
前記床面に起立した作業者が前記把持部を把持した使用状態で、前記先端具の作業部が該床面に接し、かつ該床面に前記車輪部が接することを特徴とする衝撃工具。
【請求項２】
前記車輪部の取り付け位置が、前記衝撃工具本体の外周面又は前記延長部の外周面に対して変更可能である請求項１に記載の衝撃工具。
【請求項３】
前記延長部の長軸方向における長さが変更可能である請求項１又は請求項２に記載の衝撃工具。
【発明の詳細な説明】
【技術分野】
【０００１】
本発明は、床面の塗装膜を剥がすために用いられる衝撃工具に関する。
【背景技術】
【０００２】
従来から、床面の塗装膜を剥がすために衝撃工具が用いられている。該衝撃工具としては、主に電動式のものと圧縮空気式のものとに分類されるが、先端具にハンマー（打撃子）を衝突させることによって衝撃力を発生させ、該衝撃力を利用して塗装膜を剥がすという点ではいずれも共通している。また、このような衝撃工具は、操作性を考慮し、小型化されることにより作業者が両手で容易に持てる構造となっていることが一般的である。
【０００３】
ところで、上記のような剥離作業を行う際には、作業者は床面で屈み込みながら作業を行う必要がある。この場合、作業者の周りに剥離した塗装が散ったり、長時間にわたって屈んだ姿勢をとって作業したりする必要があるため、作業環境が著しく悪いという問題がある。
【０００４】
一方、例えば特許文献１に開示されるような、エアハンマ本体の後端部にロッドを設けたり、さらにロッドを支持する支持部材や肩掛け用ベルトを備えたりしたエアハンマが提案されている。かかるエアハンマは壁面に対して使用する構成であるが、このようなエアハンマを、上記した問題を解決するために、床面の塗装膜を剥がす用途に転用することが考えられ得る。
【先行技術文献】
【特許文献】
【０００５】
【特許文献１】特開２００６−１０２８８４号公報
【発明の概要】
【発明が解決しようとする課題】
【０００６】
しかしながら、上記特許文献１のエアハンマを、床面の剥離作業に使用しようとすると、作業中にエアハンマを移動させる際に該エアハンマ全体を常に持ち上げておく必要があり、ロッド等の余分な重量があるため作業者に相当な体力が求められる。また、移動の際に先端具を床面につけたまま引きずることは、先端具を摩耗させたり床面を傷つけたりしてしまうため、作業者は細心の注意を払って作業しなければならない。このため、肉体的にも精神的にも作業者に負荷がかかるため、上記特許文献１のエアハンマを、床面の剥離作業に使用しようとする試みは、実用性に極めて乏しく、結局、両手で容易に持てる小型化されたエアハンマで床面の剥離作業を行っているのが実状である。
【０００７】
そこで本発明は、作業者の負担を軽減しつつ、確実に床面の塗装膜を剥がす作業を行うことができる衝撃工具を提供することを目的とする。
【課題を解決するための手段】
【０００８】
本発明は、床面に塗装された塗装膜を剥がすために用いられる衝撃工具であって、衝撃工具本体と、該衝撃工具本体から前方へ差し出され、前端部に作業部が形成されている先端具と、該衝撃工具本体から後方へ差し出された延長部と、該延長部の後端部に設けられ、該衝撃工具本体の作動を制御する作動スイッチが配設された把持部と、該衝撃工具本体の外周面又は該延長部の外周面に取り付けられた車輪部と、を備え、前記床面に起立した作業者が前記把持部を把持した使用状態で、前記先端具の作業部が該床面に接し、かつ該床面に前記車輪部が接することを特徴とする衝撃工具である。
【０００９】
かかる構成とすることにより、従来に比して長尺となって全体的にサイズが大きくなり、衝撃工具全体が重量増になったとしても、使用状態において前記車輪部が当該衝撃工具を支持するため、作業者に負担をかけることなく操作性が大幅に向上する。また、作業者は、起立した楽な姿勢で腰の高さ近傍にある前記把持部を把持し、剥離作業を行うことができる。なお、該把持部には作動スイッチが備えられているため、より一層作業性が向上する。
【００１０】
ここで、上記の本発明の特徴点について、さらに詳述する。
前記車輪部を支点、前記把持部にある作業者の手の位置を力点、及び先端具の作業部を作用点とすれば、いわゆるてこの原理により、衝撃工具全体としては重量増となっても作業者はこれを常時持ち上げる必要がなくなる。また、衝撃工具の重量はほとんど前記車輪部で受けるため、作業時の負担は大いに軽減される。さらに、剥がしにくい塗装膜に対しては、該把持部を少し持ち上げて該車輪部を少し浮かせ気味にし、前記先端具の作業部に衝撃工具全体の重量を加えるようにして作業することで、従来の小型化された衝撃工具では得られなかった強い剥離力を付与することも可能となる。要は、前記延長部を設けて作業者の作業環境を向上させると共に、これにより増えた衝撃工具全体の重量を利用して、床面の塗装膜を従来よりも剥がしやすくするようにした構成が本発明の大きな特徴点となる。なお、先端具の作業部を床面から離開させて剥離作業を中断させたい場合は、前記把持部を少し押し下げて前記車輪部を中心にして衝撃工具本体を少し回動させるだけでよく、またこの把持部の上げ下げにより前記作業部の微妙な高さ調整も可能であり、作業性が大幅に向上する。
【００１１】
前記車輪部の取り付け位置を、前記衝撃工具本体の外周面又は前記延長部の外周面に対して変更可能としてもよい。
【００１２】
かかる構成にあって、先端具の形状や寸法を種々変更しても、使用状態で該先端具が適切に床面と接する位置に前記車輪部を配置することができる。
【００１３】
また、前記延長部の長軸方向における長さを変更可能としてもよい。
【００１４】
かかる構成にあっては、作業者の体格（身長）の違いに応じて、前記把持部の位置を起立した作業者の腰の高さ近傍位置に適切に配置することができる。
【発明の効果】
【００１５】
本発明の衝撃工具は、作業者への負担を軽減しつつ、確実に床面の塗装の剥離作業を行うことができる。
【図面の簡単な説明】
【００１６】
【図１】使用状態を示す衝撃工具の側面図。
【図２】使用状態を示す衝撃工具の正面図。
【図３】（ａ）は衝撃工具本体と延長部との接続構造を示す説明図、（ｂ）は把持部の説明図。
【図４】衝撃工具を移動させるときの状態を示す側面図。
【発明を実施するための形態】
【００１７】
以下、本発明の衝撃工具を具体化した実施例を詳細に説明する。なお、本発明は、下記に示す実施例に限定されることはなく、適宜設計変更が可能である。
【００１８】
図１，２に示すように、例えば圧縮空気式である衝撃工具１は、主要部を構成する衝撃工具本体２と、該衝撃工具本体２から前方へ差し出された先端具３と、該衝撃工具本体２から後方へ差し出された円筒形の延長部４と、該延長部４の後端部に設けられた把持部５と、車輪６ａを有する車輪部６と、を備えている。
【００１９】
図１，２に示すように、前記先端具３の先端には、床面Ｆの塗装膜に接する作業部３ａが形成されている。該先端具３は、公知のものが好適に採用される。
【００２０】
図３（ａ）に示すように、前記延長部４は、例えば１５００ｍｍ程度の長尺状の円筒部材からなり、内部に中空部４ａが形成されている。そして、該延長部４の後端には、該衝撃工具本体２に圧縮空気を送り込むエアホースＨが接続されており、前記中空部４ａが、エアホースＨを介して供給される圧縮空気が通る通気路１０とされている。
【００２１】
また、図３（ｂ）に示すように、前記延長部４の後端部には、該延長部４の外周面に配された円筒形状の把持部５が取り付けられている。また、該把持部５に対応する位置には、前記衝撃工具本体２の作動を制御する作動スイッチ７が設けられている。そして、作業者Ｗが該把持部５を把持し、かつ該作動スイッチ７を操作することで、該延長部４の中空部４ａである通気路１０の開閉制御が行われ、これによって該衝撃工具本体２の始動と停止が制御自在とされている。
【００２２】
なお、前記延長部４の後端にエアホースＨが接続されることで、作業者Ｗは該エアホースＨに邪魔されることなく作業を行うことができる。
【００２３】
また、図１，２に示すように、衝撃工具本体２における下端部の外周面には、車輪部６が配設されている。具体的には、該衝撃工具本体２の外周面にＵ字形状のＵバンド６ｂがボルト・ナットなどの緊締具を用いて固定されており、該Ｕバンド６ｂに左右一対の車輪６ａ，６ａが前後方向に回動自在に取り付けられている。なお、該Ｕバンド６ｂは、前記緊締具を緩めることで、衝撃工具本体２に対して前後方向に位置変更可能であり、これにより衝撃工具本体２に対する車輪部６の位置を適宜調整することができる。
【００２４】
次に、前記衝撃工具１の使用状態について説明する。
図１，２に示すように、該衝撃工具１の使用状態にあっては、前記車輪部６の車輪６ａと先端具３の先端に形成された作業部３ａが床面Ｆに接し、かつ、前記把持部５は、作業者Ｗによって腰近傍の高さ位置で把持される。
【００２５】
そして、床面Ｆの塗装膜を剥がす際は、基本的に車輪６ａを接地させたまま先端具３の作業部３ａを床面Ｆに押し当て、かつこの状態で衝撃工具本体２を作動させることで塗装膜を剥がし取る。ここに、例えば塗装膜を剥がしにくい箇所があった場合は、作業者Ｗは前記把持部５を少し持ち上げて車輪６ａを少し浮かせ気味にし、前記先端具３の作業部３ａに衝撃工具１全体の重量を加えるようにして作業することで、強い剥離力を得ることができる。
【００２６】
上記衝撃工具１を移動させる際には、図４に示すように、作業者Ｗが車輪６ａを支点にして把持部５を押し下げるようにすれば、先端具３の作業部３ａが床面Ｆから離開するため、床面Ｆを傷つけることなく該車輪６ａを用いて容易に移動させることができる。なお、このように先端具３の作業部３ａが床面Ｆから離開した状態にあっては、衝撃工具１の重量はほとんど該車輪６ａが受けるので、作業者Ｗは容易に衝撃工具１を移動させることができる。
【００２７】
なお、前記延長部４は、継ぎ足し構造やテレスコピック構造等を採用して、作業者Ｗの体形（身長）に応じてその長軸方向の長さを変更できるようにしても構わない。
【００２８】
また、前記車輪部６は、延長部４の外周面に配設されていてもよい。さらに、該車輪部６の車輪６ａは左右一対の二つに限らず、一つでも構わないし、前後動のみならず該車輪６ａが床面Ｆに対して全周方向に回動可能とされていてもよい。
【００２９】
また、前記作動スイッチ７の操作構造は、適宜変更可能である。また、前記把持部５は、振動吸収構造が内蔵されることで作業性の向上が図られていてもよい。勿論、前記衝撃工具本体２内に、適切な振動吸収構造が内蔵されていてもよい。
【００３０】
また、前記振動工具１は、電動式を排除するものではない。
【符号の説明】
【００３１】
１          衝撃工具
２          衝撃工具本体
３          先端具
３ａ        作業部
４          延長部
５          把持部
６          車輪部
７          作動スイッチ
Ｆ          床面
Ｗ          作業者
【図１】
2013217048.tif 000003
【図２】
2013217048.tif 000004
【図３】
2013217048.tif 000005
【図４】
2013217048.tif 000006